(57)【要約】      （修正有）【課題】周壁に多数のエンボスが形成された円管からなるエネルギー吸収部材。側壁に特定の幾何形状のエンボスを所定の分布形態で設けることにより、衝突時の荷重特性を平坦とし、かつエネルギー吸収効率を向上させる。【解決手段】各エンボスは全て同形状で略長方形の輪郭を有する。全てのエンボスは円管１の軸方向に沿って一定間隔ｄで配列したｍ列の周方向エンボス列４のいずれかに属し、各周方向エンボス列４は周方向に沿って等角度間隔δで配置されたｎ個のエンボスにより構成される。同時に全てのエンボスは円管１の周方向に沿って等角度間隔δ／２で配列した２×ｎ列の軸方向エンボス列のいずれかに属し、各軸方向エンボス列は前記円管の軸方向に沿って等間隔で配置された複数個のエンボスにより構成される。【選択図】図１
2013010392.tif 000002
【特許請求の範囲】
【請求項１】
自動車の衝突時に衝突エネルギーを吸収するバンパーステイとして用いられ、周壁に衝突時に圧壊の起点となる多数の凹状のエンボスが形成された円管からなるエネルギー吸収部材において、各エンボスは全て同形状で前記円管の周方向に長い略長方形の輪郭を有し、全てのエンボスは前記円管の軸方向に沿って一定間隔で配列したｍ列の周方向エンボス列のいずれかに属し、各周方向エンボス列は前記円管の周方向に沿って等間隔で配置されたｎ個のエンボスにより構成され、同時に全てのエンボスは前記円管の周方向に沿って等間隔で配列した２×ｎ列の軸方向エンボス列のいずれかに属し、各軸方向エンボス列は前記円管の軸方向に沿って等間隔で配置された複数個のエンボスにより構成され、隣接する周方向エンボス列に属するエンボスは同じ軸方向エンボス列に属さないことを特徴とするエネルギー吸収部材。
【請求項２】
前記円管の外直径をｇ、前記エンボスの深さをｈ、前記エンボスの軸方向に沿った高さをｔ、１つのエンボスの円周方向両端と前記円管の中心がなす角度をθとしたとき、前記ｇ，ｈ，ｔ，θがそれぞれ次式のいずれかを満たす円管からなるか、又は前記ｇ，ｈ，ｔ，θがこれと相似形状を有する円管からなることを特徴とする請求項１に記載されたエネルギー吸収部材。
（ｇ，ｈ，ｔ，θ）＝（５５ｍｍ，１ｍｍ，６ｍｍ，１５°）
（ｇ，ｈ，ｔ，θ）＝（５５ｍｍ，１ｍｍ，８ｍｍ，２０°）
【請求項３】
前記エンボスが電磁成形又はプレス成形により成形されたことを特徴とする請求項１又は２に記載されたエネルギー吸収部材。
【発明の詳細な説明】
【技術分野】
【０００１】
本発明は、自動車の衝突時に衝突エネルギーを吸収するバンパーステイとして用いられる円管状のエネルギー吸収部材に関する。
【背景技術】
【０００２】
近年、自動車などの車両の分野で、さらなる衝突安全性への要求が高まっている。例えば乗用車の安全基準を例にとれば、これまで主流のバリア（壁）衝突試験などでは、車体全部が均等に圧縮されるのに対し、ＩＩＨＳ（Insurance Institute of Highway Safety（米国高速道路安全保険機構））やＥＣから近年提唱されているオフセットバリア試験では、車両の幅方向の片側に偏して（オフセットして）衝突を受け、荷重が加わるような試験方法となっている。これは、衝突事故の実態を考慮したためであるが、このオフセットバリア試験に対応するためには、衝突部のバンパーを支持する後方部材であるバンパーステイに高性能なエネルギー吸収機構を設け、より車両の安全性を高める必要がある。すなわち、バンパーステイが圧縮力を受けて変形を生じる際に、反力荷重を安定して発生させ、かつ軽量なものにする必要がある。
【０００３】
この要求に対し、円管又は多角形断面の中空部材の軸方向圧壊特性を利用したバンパーステイ（特許文献１〜６）が提案されている。これらのバンパーステイは、断面に対する垂線と車両の進行方向が一致するように配置されているため、中空断面の端部に端板やフランジを設け、該端板やフランジを介してバンパー及び車体と締結されている。
軸方向圧壊特性を利用したバンパーステイにおいて、多角形断面の中空部材を用いる場合、断面形状を工夫し、あるいは側壁に圧壊の起点となるクラッシュビード（エンボス）を設けるなどにより、圧壊特性が調整されている。円管を用いる場合も、例えば特許文献２に記載されているように、側壁に圧壊の起点となるエンボスを設けている。
【先行技術文献】
【特許文献】
【０００４】
【特許文献１】特許第３２１７０６０号公報
【特許文献２】特開２００４−１８９０６３号公報
【特許文献３】特開２００８−３０８１７０号公報
【特許文献４】特開２００８−１３２９８８号公報
【特許文献５】特許第４０３６２３４号公報
【特許文献６】特開２００８−２９６７１６号公報
【発明の概要】
【発明が解決しようとする課題】
【０００５】
軸方向圧壊特性を利用したバンパーステイの素材として円管を用いる場合、素管に近い形状のままでは多角形断面のものに比べて軸方向圧壊時の荷重変動が大きい。このため、衝突時の荷重特性を平坦にし、かつエネルギー吸収効率を向上させるには、多角形断面のものと同じではなく、特に円管に適する幾何形状及び分布形態のエンボスを設ける必要があると考えられるが、そのための指針が明確ではなかった。
従って、本発明は、周壁に多数のエンボスが形成された円管からなるエネルギー吸収部材において、側壁に特定の幾何形状のエンボスを特定の分布形態で設けることにより、衝突時の荷重特性を平坦とし、かつエネルギー吸収効率を向上させることを目的とする。
【課題を解決するための手段】
【０００６】
本発明は、自動車の衝突時に衝突エネルギーを吸収するバンパーステイとして用いられ、周壁に衝突時に圧壊の起点となる多数の凹状のエンボスが形成された円管からなるエネルギー吸収部材において、各エンボスは全て同形状で前記円管の周方向に長い略長方形の輪郭を有し、全てのエンボスは前記円管の軸方向に沿って一定間隔で配列したｍ列の周方向エンボス列のいずれかに属し、各周方向エンボス列は前記円管の周方向に沿って等間隔で配置されたｎ個のエンボスにより構成され、同時に全てのエンボスは前記円管の周方向に沿って等間隔で配列した２×ｎ列の軸方向エンボス列のいずれかに属し、各軸方向エンボス列は前記円管の軸方向に沿って等間隔で配置された複数個のエンボスにより構成され、隣接する周方向エンボス列に属するエンボスは同じ軸方向エンボス列に属さないことを特徴とする。なお、ｍは４以上の整数、ｎは２以上の整数である。
前記エンボスは、電磁成形（特許文献２参照）又はプレス成形により成形することができる。
【０００７】
上記エネルギー吸収部材において、円管の外直径をｇとし、各エンボスの幾何形状について、エンボスの深さをｈ、エンボスの軸方向に沿った高さをｔ、１つのエンボスの円周方向両端と円管の中心がなす角度をθとしたとき、前記ｇ，ｈ，ｔ，θがそれぞれ次式のいずれかを満たす円管からなるか、又は前記ｇ，ｈ，ｔ，θがこれと相似形状を有する円管からなることが望ましい。
（ｇ，ｈ，ｔ，θ）＝（５５ｍｍ，１ｍｍ，６ｍｍ，１５°）
（ｇ，ｈ，ｔ，θ）＝（５５ｍｍ，１ｍｍ，８ｍｍ，２０°）
【発明の効果】
【０００８】
本発明によれば、円管の周壁に多数の凹状エンボスを特定の幾何形状で、かつ特定の分布形態で形成することにより、前記円管を用いたエネルギー吸収部材の座屈圧壊時の座屈モードを変化させ、衝突時の荷重変動を抑えつつ、エネルギー吸収効率を向上させることができる。また、バンパーステイ単体のエネルギー吸収特性を改善することで、このバンパーステイを含むバンパーシステム全体の特性を向上させ、近年の衝突安全基準の強化に対応した高性能、かつ軽量なバンパーシステムを提供することができる。
なお、本発明に係るエネルギー吸収部材は、乗用車やトラック等、自動車のバンパーステイへの適用を考慮したものであるが、列車や航空宇宙等の移動体の安全部材として応用が可能である。
【図面の簡単な説明】
【０００９】
【図１】本発明に係る円管の平面図（ａ）及び正面図（ｂ）である。
【図２】本発明に係る円管の軸方向に垂直な面でのエンボスの断面図である。
【図３】本発明に係る円管を電磁成形する際に用いる金型の内周面の平面視形状（ａ）及び正面視形状（ｂ）を示す図である。
【図４】ＦＥＭ解析で電磁成形を模した成形解析を行って得た円管を、さらにＦＥＭ解析で圧壊変形を模した成形解析を行って得た荷重−変位曲線である。
【図５】ＦＥＭ解析で電磁成形を模した成形解析を行って得た円管を、さらにＦＥＭ解析で圧壊変形を模した成形解析を行って得た荷重−変位曲線である。
【図６】ＦＥＭ解析で電磁成形を模した成形解析を行って得た円管を、さらにＦＥＭ解析で圧壊変形を模した成形解析を行って得た荷重−変位曲線である。
【図７】ＦＥＭ解析で電磁成形を模した成形解析を行って得た円管を、さらにＦＥＭ解析で圧壊変形を模した成形解析を行って得た荷重−変位曲線である。
【図８】ＦＥＭ解析で電磁成形を模した成形解析を行って得た円管を、さらにＦＥＭ解析で圧壊変形を模した成形解析を行って得た荷重−変位曲線である。
【図９】ＦＥＭ解析で電磁成形を模した成形解析を行って得た円管を、さらにＦＥＭ解析で圧壊変形を模した成形解析を行って得た荷重−変位曲線である。
【図１０】実際に電磁成形で得た円管を圧壊変形させたときの荷重−変位曲線である。
【発明を実施するための形態】
【００１０】
以下、図１〜図１０を参照し、本発明に係るエネルギー吸収部材についてより具体的に説明する。
図１，２に示すエネルギー吸収部材は、適当な長さ、外直径ｇ、肉厚を有する円管１からなり、円管１の周壁２に多数の凹状のエンボス３が形成されている。エンボス３は全て同形状で、円管１の周方向に沿って湾曲した長辺３ａと、円管１の軸方向に沿った短辺３ｂからなる略長方形の輪郭を有する。そのほか、エンボス３の幾何形状は、エンボスの深さｈ（図２参照）、エンボスの軸方向高さｔ（図１（ｂ）参照）、１つのエンボスの周方向両端と円管の中心Ｏがなす角度（周方向角度）θ（図２参照）で表される。
【００１１】
多数のエンボス３は、円管１の周壁２上において次のような分布形態をとる。
全てのエンボスは、円管１の軸方向に沿って一定間隔ｄで配列したｍ（この例ではｍ＝６）列の周方向エンボス列４，４，・・のいずれかに属する。各周方向エンボス列４は円管１の周方向に沿って等角度間隔δ（この例ではδ＝６０°）で配置されたｎ（この例ではｎ＝６）個のエンボス３により構成され、各周方向エンボス列４に属するｎ個のエンボス３は、いずれも円管１の軸方向に垂直な面に沿って、円管１の周壁２の周方向に一列に揃って配置されている。なお、周方向エンボス列４同士の間隔ｄは、軸方向圧壊時の円管１の折り畳み幅となる。
【００１２】
また、全てのエンボスは、円管１の周方向に沿って等角度間隔（δ／２）で配列した２×ｎ列の軸方向エンボス列５，５，・・のいずれかに属する。各軸方向エンボス列５は円管１の軸方向に沿って等間隔（２×ｄ）で配置された複数個（この例では３個）のエンボス３により構成され、各軸方向エンボス列５に属するエンボスは、円管１の軸方向に一列に揃って配置されている。隣接する周方向エンボス列４，４に属するエンボスは同じ軸方向エンボス列に属さない。また、隣接する軸方向エンボス列５，５に属するエンボスを見ると、軸方向にいわゆる千鳥足状の配置となっている。
エンボス３の上記分布形態において、ｍは４以上の整数、ｎは２以上の整数であり、これらの数値は円管の長さや外直径、エンボスの幾何形状、あるいは圧壊時の変形挙動を調整するために適宜設定される。  
【００１３】
図１（ａ），（ｂ）に示す円管１は、例えば電磁成形により形成することができる。円管１を電磁成形するための金型６の内周面６ａの形状が図３（ａ），（ｂ）に示されている。金型６は組み合わせたとき中心部に内直径Ｇの円筒形の内周面６ａが構成される複数の分割金型からなり、前記内周面６ａには多数の突起７が形成されている。
円管１の外周形状は、電磁成形により金型６の内周面６ａの形状が転写されて形成されるものであるから、内周面６ａの内直径Ｇは円管１の外直径ｇと実質的に一致し、また、内周面６ａにおける突起７の幾何形状及び分布形態は、円管１の凹状のエンボス３の幾何形状及び分布形態と実質的に一致する。
【００１４】
より具体的にいえば、突起７は全て同形状で略長方形の輪郭を有し、内周面６ａからの突出高さＨ、軸方向高さＴ、及び１つの突起の周方向両端と前記内周面６ａの中心Ｏがなす角度（周方向角度）Θで表され（図３（ａ）参照）、突起７のＨ，Ｔ，Θは、それぞれ実質的にエンボス３のｈ，ｔ，θに等しい。
また、多数の突起７は、金型６の内周面６ａにおいて次のような分布形態をとる。
全ての突起は、前記内周面６ａの軸方向に沿って一定間隔Ｄで配列したＭ（この例ではＭ＝６）列の周方向突起列８のいずれかに属する。各周方向突起列８は金型６の内周面６ａに等角度間隔Δ（この例ではΔ＝６０°）で配置されたＮ（この例ではＮ＝６）個の突起７により構成されている。Ｍ，Ｎ，Ｄ，Δはそれぞれ円管１におけるｍ，ｎ，ｄ，δに等しい。
さらに、全ての突起は、金型６の内周面６ａに等角度間隔（Δ／２）で配列した２×Ｎ列の軸方向突起列９のいずれかに属する。各軸方向突起列９は内周面６ａの軸方向に沿って等間隔（２×Ｄ）で配置された複数個（この例では３個）の突起７により構成されている。隣接する周方向突起列８に属する突起７は同じ軸方向突起列９に属さない。
【００１５】
電磁成形に際しては、好ましくはアルミニウム合金押出材製の円形断面の素管を用い、この素管を金型６の内周面に挿入し、素管の内側に電磁成形用コイルを挿入し、前記コイルに通電する。その通電により前記素管が極めて短時間で拡管して金型６の内周面６ａに打ち当たり、該内周面６ａに沿った外周形状の円管１が成形され、その際、円管１に突起７の形状に対応して凹状のエンボス３が転写される。
なお、アルミニウム合金としては、ＪＩＳ６０００系又は７０００系が好適である。
【実施例】
【００１６】
（ＦＥＭ解析）
ＦＥＭ解析の第１ステップとして、電磁成形を模した成形解析を実施し、円形断面の素管をエンボス付円管（一部はエンボスなしの円管）に成形した。次いで、第２ステップとして、第１ステップの解析で得られたエンボス付き円管（一部はエンボスなしの円管）を、軸方向に圧縮して圧壊変形させる解析を実施し、荷重−変位曲線を得た。なお、ＦＥＭ解析で得たエンボス付き円管は、先に説明した本発明に係る円管に対応する。
素管の材料モデルとしてアルミニウム合金押出形材（ＪＩＳ６０６３−Ｔ５）を想定し、その０．２％耐力を１５０ＭＰａ、弾性率６８．５ＧＰａ、密度２７００Ｋｇ／ｍ３、ポアソン比０．３に設定した。
【００１７】
第１ステップにおいて、素管の形状を外直径５１ｍｍ、長さ１００ｍｍ、肉厚２ｍｍに設定した。また、電磁成形に使用する金型モデルとして、基本的に図３（ａ），（ｂ）に示すものを用いた。金型モデルについて図３（ａ），（ｂ）を参照して説明すると、金型モデルの基本構造として、周方向突起列の数を６、各周方向突起列に含まれる突起の数を６、金型の長さＬを１００ｍｍ、内周面の直径Ｇを５５ｍｍ、周方向突起列同士の間隔Ｄを１０ｍｍに設定し、さらに金型の下端から最も近い周方向突起列までの距離Ｅ（図３（ｂ）参照）を２０ｍｍに設定した。この基本構造の下、突起の突出高さＨ、突起の軸方向高さＴ、及び突起の周方向角度Θをパラメーター（変数）とした。解析に用いたパラメーターＨ，Ｔ，Θの組み合わせを表１に示す。
【００１８】
【表１】
2013010392.tif 000003
【００１９】
第１ステップのＦＥＭ解析では、前記金型モデルの内側に前記素管を配置し、前記素管の上面と下面の上下方向の変位を拘束し、電磁成形を模して素管の内側に３ＧＰａの圧力を掛ける態様とした。ＦＥＭ解析の結果、素管は拡管して金型モデルの内周面に沿った形状に変形し、金型の突起の幾何形状及びその分布形態がそのまま円管に転写され、多数の凹状のエンボスを有するエンボス付き円管（Ｎｏ．１はエンボスなしの円管）が形成された。エンボス付円管は、外直径（ｇ）が金型モデルの内周面の内直径（Ｄ）と等しく５５ｍｍ、周方向エンボス列の軸方向間隔（ｄ）が金型モデルの周方向突起列同士の間隔（Ｄ）と等しく１０ｍｍで、エンボスの深さ（ｈ）、エンボスの軸方向高さ（ｔ）、及びエンボスの周方向角度（θ）が、金型モデルのパラメータ（Ｈ，Ｔ，Θ）の数値と一致している。一方、エンボス付円管の内周側では、エンボスの輪郭付近（図２の矢印ａ参照）が滑らかな曲面となっていた。ＦＥＭ解析で得たエンボス付円管の以上の形状は、実際に電磁成形で成形される形状に極めて近い。
【００２０】
第２ステップのＦＥＭ解析では、エンボス付き円管の下端を剛体壁の上に乗せ、上方から別の剛体壁を下降させエンボス付き円管を準静的な速度で圧縮する態様とした。解析の結果得られた荷重−変位曲線を図４〜９に示す。
続いて、図４〜９の荷重−変位曲線を基に、Ｎｏ．１〜６の円管のエネルギー吸収特性の評価を行った。評価の対象は全長の７割までの圧壊（変位：７０ｍｍ）とし、評価指標は、荷重変動を表す荷重変動係数φα、平均荷重と最大荷重の比を表すφβ、エネルギー吸収効率を表すφχ、及びこれらを総合したφとした。
φα，φβ，φχ，φは次式で表される。
【００２１】
【数１】
2013010392.tif 000004
【００２２】
Ｎｏ．１〜６について、評価指標φα，φβ，φχ，φの値を表２に示す。評価指標φα，φβ，φχ，φの値が大きいほど、エネルギー吸収特性が優れている。
【００２３】
【表２】
2013010392.tif 000005
【００２４】
図４〜９及び表２から、Ｎｏ．２〜６の全てのエンボス付き円管において、エンボスなしの円管であるＮｏ．１に比べて明らかに荷重変動が抑制され、かつ全ての評価指標においてＮｏ．１より優れていることが分かる。
このうちＮｏ．３は、Ｎｏ．１に比べて評価指標が大幅に改善されている。Ｎｏ．４はＮｏ．３と同様の変形挙動を示し、同じくＮｏ．１に比べて評価指標が大幅に改善されているが、Ｎｏ．３に比べるとやや改善の度合いが小さい。Ｎｏ．２は、評価指標の改善の度合いがＮｏ．４に次ぐ。また、Ｎｏ．５，６はＮｏ．２と同様の変形挙動を示すが、Ｎｏ．２に比べて評価指標の改善の度合いが小さい。
これらの結果から、エネルギー吸収特性の評価指標φα，φβ，φχ，φを改善するには、前記基本構造において、エンボスの幾何形状（エンボスの深さ（ｈ）、エンボスの軸方向高さ（ｔ），エンボスの周方向角度（θ））を、（１ｍｍ，６ｍｍ，１５°）、又は（１ｍｍ，８ｍｍ，２０°）に調整することが望ましいことが分かる。
【００２５】
（実施例）
外直径が９１ｍｍ、肉厚３．５ｍｍのアルミニウム合金押出材（ＪＩＳ６０６３−Ｔ５）を切断して、長さ１４５ｍｍの素管を得た。この素管を実際に電磁成形して、エンボス付き円管（Ｎｏ．７）を成形した。Ｎｏ．７は、外直径（ｇ）が９８ｍｍ、エンボスの深さ（ｈ）が１．７８ｍｍ、軸方向高さ（ｔ）が１０．７ｍｍ、周方向角度（θ）が１５°、及び周方向エンボス列の軸方向間隔（ｄ）が１７．８ｍｍであり、前記Ｎｏ．３（Ｈ1Ｔ6−15）とは外直径、エンボスの幾何形状及び分布形態が相似形（相似比：約１．７８倍）となっている。
また、同じアルミニウム合金押出形材からなる素管を実際に電磁成形して、外直径が９８ｍｍのエンボスなしの円管（Ｎｏ．８）を成形した。Ｎｏ．８は、外直径（ｇ）が９８ｍｍである。
【００２６】
続いてＮｏ．７，８の円管に対し、軸方向に準静的な圧縮荷重を掛けて圧壊変形し、荷重−変位曲線を求めた。その結果を図１０に示す。
図１０に示すように、Ｎｏ．８では変位に伴う荷重変動の大きい荷重−変位曲線が得られ、一方、Ｎｏ．７では吸収エネルギーの低下を生じることなく荷重変動が抑制された荷重−変位曲線が得られた。Ｎｏ．７の荷重−変位曲線は、ＦＥＭ解析で得られたＮｏ．３の荷重−変位曲線と近似し、Ｎｏ．８の荷重−変位曲線は、ＦＥＭ解析で得られたＮｏ．１の荷重−変位曲線と近似していた。このように、Ｎｏ．３と外直径及びエンボスの幾何形状（ｈ，ｔ，θ）が相似形のエンボス付円管でも、エネルギー吸収特性が大幅に改善されることが分かる。
【符号の説明】
【００２７】
１  円管（エンボス付き）
２  円管の周壁
３  凹状のエンボス
４  周方向エンボス列
５  軸方向エンボス列
６  電磁成形用の金型
６ａ  金型の内周面
７  突起
８  周方向突起列
９  軸方向突起列
ｇ  円管の外直径
ｈ  エンボスの深さ
ｔ  エンボスの軸方向高さ
θ  エンボスの周方向角度
ｄ  周方向エンボス列の軸方向間隔
δ  軸方向エンボス列の周方向角度間隔
【図１】
2013010392.tif 000006
【図２】
2013010392.tif 000007
【図３】
2013010392.tif 000008
【図４】
2013010392.tif 000009
【図５】
2013010392.tif 000010
【図６】
2013010392.tif 000011
【図７】
2013010392.tif 000012
【図８】
2013010392.tif 000013
【図９】
2013010392.tif 000014
【図１０】
2013010392.tif 000015